(57)【特許請求の範囲】
【請求項１】
乗り役が馬役に跨った際に操作する、乗り物の操作具を有する操作盤と、この操作盤を馬役が背負った際に、操作盤を身体に止めるための装着具と、を備えているお馬さんごっこ用の操縦装置。
【請求項２】
前記操作具が自動車のハンドル周りの構成を有するものである、請求項１に記載のお馬さんごっこ用の操縦装置。
【請求項３】
前記操作具が電車の操作レバー周りの構成を有するものである、請求項１に記載のお馬さんごっこ用の操縦装置。
【請求項４】
前記操作具の一部が前記操作盤の裏側に露出し、操作の際に馬役の背中に接触するように設けられている、請求項１に記載のお馬さんごっこ用の操縦装置。
【請求項５】
前記操作盤が、馬役に動作指令を音声で伝え得るように、音声発生手段とこの音声発生手段を動作させるためのスイッチおよび電源とを備えている、請求項１に記載のお馬さんごっこ用の操縦装置。
【請求項６】
前記操作盤が、ライトとこのライトの点消の動作を行わせるためのスイッチおよび電源とを備えている、請求項１に記載のお馬さんごっこ用の操縦装置。
【請求項７】
前記装着具が肩を通すバンドである、請求項１に記載のお馬さんごっこ用の操縦装置。
【請求項８】
前記装着具が胴に回すバンドである、請求項１に記載のお馬さんごっこ用の操縦装置。
【発明の詳細な説明】
【技術分野】
【０００１】  この発明は、お馬さんごっこで馬役に取り付ける操縦装置に関する。
【背景技術】
【０００２】  従来より鬼ごっこや電車ごっこなど「ごっこ」と名が付く遊戯が数多く行われている。ごっこはある物事の真似をする遊戯であるとされている。このようなごっこ遊戯の各々に適合させた玩具も提供されている。【０００３】  例えば、特開２００２−２２４４６１号の人形を保持するおもちゃの乗り物は、人形を乗せたおもちゃの乗り物に於いて子供が行う種々の遊びに対応する、音響信号や視覚信号を生成することが出来るように構成されている。例えば人形が乗り物に置かれた時に人形が言葉を発したかのように乗り物が言葉を発したり、乗り物の振動や運動の方向や速度などに応じて乗り物が応答するなどする。【０００４】  また特表２０１１−５０１９７９号の幼児用乗馬遊び具では、子供が座る本体を曲げることなく元の形状を維持しながら前進させることが出来、運動が不足している子供が運動して自分の筋肉を使用するように誘導することが出来るような、子供用の乗用器具が提供される。【０００５】  また米国特開２００３−０９２３４８号の話すステッキホースは、頭部を持ちステッキ（棒）にまたがるようにしてお馬さんごっこをするものであり、スイッチボタンを操作することによって、馬の耳や口を動かしたり話したり歌ったりさせることが出来るおもちゃである。話や歌に伴って馬の口が連動するようになっている。
【先行技術文献】
【特許文献】
【０００６】
【特許文献１】特開２００２−２２４４６１号公報
【特許文献２】特表２０１１−５０１９７９号公報
【特許文献３】米国特開２００３−０９２３４８号公報
【発明の概要】
【発明が解決しようとする課題】
【０００７】  しかしながら上記のごっこ玩具は何れも一人遊びを前提として考えられたものである。仮令祖父母や両親や兄弟姉妹の前で遊ぶにしても基本的に一人遊び用のおもちゃである。当発明者は、親子がコミュニケーションを取るのみならずスキンシップが計れるような、そうしたごっこ遊び用の玩具が提供出来ないものかと思考した。このようなおもちゃは、これまでにはまったく無かったものである。【０００８】  そこでこの発明は上述したような問題を解決して、子供と手軽にスキンシップが交わせて楽しく遊べるような、ごっこ遊び用の玩具の提供を課題とする。
【課題を解決するための手段】
【０００９】  上記課題の解決に当たって当発明者は、昔ながらのお馬さんごっこを対象にした玩具を提供すれば良いことに思い至った。お馬さんごっこであれば子供と祖父母、両親、その他子供の面倒が見られる家族やシッターさんなどが、その子供を背中に乗せてスキンシップを取りながら遊ぶことが出来る。お馬さんごっこは子供ともっともスキンシップが交わせる遊びの一つである。そのようなお馬さんごっこ用の操縦玩具を提供したい。【００１０】  上記課題は、乗り役が馬役に跨った際に操作する、乗り物の操作具を有する操作盤と、この操作盤を馬役が背負った際に、操作盤を身体に止めるための装着具と、を備えているお馬さんごっこ用の操縦装置を提供することによって達成される。【００１１】  馬役が乗り物の操作盤を背負い、操作盤の装着具を使用して身体に止める。この状態で馬のように四つん這いになり、背中に乗り役の子供を乗せる。すると背中の子供は、目の前に操作盤が位置しているため、その操作盤の操作具を手で操ることが出来る。この際に乗り役は「前進します。」「右に曲がります。」「バックします。」などと声を出すなどして馬役に指示を出すことが出来る。馬役はその指示に従ったり、意図的に逆の動作をして、子供を笑わせたり、正しい動作を教えたりすることが可能である。この逆で、将来の自動運転システムを模して、馬役が「車線を替えます」などと声を出して乗り役に対して伝えると共に対応する動作を行うような遊び方も出来る。このようにして馬役と乗り役とは、お馬さんごっこを通してコミュニケーションやスキンシップを交わすことが出来るのである。なお操作盤は着脱自在であるからいつでも下ろすことが出来る。また乗り物の操作盤の、馬役の身体への止め具合の緩いきついの程度は、これを調節し得るように装着具を設ければ良い。【００１２】  次に、乗り物を自動車として、前記操作具が自動車のハンドル周りの構成を有するものとすることが出来る。操作盤の操作具としては最低限ハンドルを備えていれば良いが、アクセルレバーやクラクションのボタンなどを設けるようにしても良い。【００１３】  また、乗り物を電車として、前記操作具が電車の操作レバー周りの構成を有するものとすることが出来る。操作盤の操作具としては最低限速度調節用のレバーなどを備えていれば良いが、汽笛のボタンなどを設けるようにしても良い。【００１４】  また、前記操作具の一部が前記操作盤の裏側に露出し、操作の際に馬役の背中に接触するように設けられているものとすることが出来る。例えばハンドルであれば円盤が馬役の背中に接触してその回動方向を伝え得るように設けたり、トランスミッションのレバーであれば前後方向のソリが背中に接触して前進後退の方向を背中に伝え得るように設けるのである。【００１５】  また、前記操作盤が、馬役に動作指令を音声で伝え得るように、音声発生手段とこの音声発生手段を動作させるためのスイッチおよび電源とを備えているものとすることが出来る。例えば記憶装置に記録してある「右に曲がります。」「バックします。」などの音声を音声発生手段が、乗り役が操作したスイッチをトリガーとしてスピーカーから発するようにするのである。しかしてこれを聞いた馬役はその指示の通りの���きをすれば良い。これは乗り役である子供が声を出して指示を出す代わりの仕組みと言うことになる。なお音声は、記憶装置に記録してある文字を音声合成回路で発生させるように構成することも可能である。更にこの文字のユーザーによる書き替えや追加が行い得るようにしても良い。【００１６】  また、前記操作盤が、ライトとこのライトの点消の動作を行わせるためのスイッチおよび電源とを備えているものとすることが出来る。ライトはヘッドライトであったり、ウインカーであったり、ストップランプであったりする。【００１７】  また、前記装着具が肩を通すバンドであるものとすることが出来る。これによれば馬役は操作盤をランドセルやリュックサックのように着用するのである。【００１８】  また、前記装着具が胴に回すバンドであるものとすることが出来る。このバンドを胴で絞めて操作盤を身体に止める。なお上記肩を通すバンドとこの胴に回すバンドとを併設すると、操作盤の止め具合がさらにしっかりしたものとなる。
【発明の効果】
【００１９】  この発明のお馬さんごっこで馬役に取り付ける玩具としての操縦装置によれば、乗り役は馬役に跨った状態で、乗り物の操作盤の操作具を手で操ることが出来る。特筆すべきは馬役と乗り役とがお馬さんごっこを通じてスキンシップを容易に交わすことが出来るようになった点である。
【図面の簡単な説明】
【００２０】
【図１】  実施例１の正面視による説明図である。
【図２】  実施例１の側面視による説明図である。
【図３】  実施例１の使用状態の説明図である。
【図４】  実施例２の電子回路の説明図である。
【図５】  実施例３の背面視による説明図である。
【図６】  実施例４の背面視による説明図である。
【発明を実施するための形態】
【実施例１】
【００２１】  図１乃至図３を用いて実施例１の操縦装置１を説明する。この実施例は、自動車のダッシュボードの操作盤１０を模したものであり、この操作盤１０には、中央にシャフト１２で回動自在なハンドル１１が、左側には回動させ得るドラム１４から突出する操作レバー１３を有するアクセル１５が、上側には左右方向を示す押しボタンである所のウインカー１６，１７が、右側にはイグニッションを動作させるとしたキー１８が設けられている。また操作盤１０の背面の両側には肩ベルト２，２０が、その上下端部を鋲２１，２２により止められてている。【００２２】  この操縦装置１の遊び方の一例を以下に述べる。図３にて図示するように、父親が男児を遊ばせる例であるが、父親Ｆが操縦装置１の肩ベルト２，２０に両腕を通して操縦装置１を背負い、その後にお馬になって男児Ｃを背中に跨がせるようにする。男児Ｃの前方には上記操縦装置１が位置している。そこで男児Ｃはこの操縦装置１を声を出して操作し、父親Ｆはその声に応じた動作を行う。【００２３】  従来のお馬さんごっことこの発明のお馬さんごっことの違いは、父親Ｆの背中に乗った男児Ｃが単に声を出してお馬に指令を出すだけでなく、それに応じた動作を操縦装置１を用いて表現し得る点にある。例えばキー１８を回しつつ「ブルブルブル」と声にすれば、父親Ｆはこれに応えて背中を震わす。また「出発」と声を上げながらアクセル１５の操作レバー１３を手前に引けば、父親Ｆは這って全身を開始する。アクセル１５を吹かせれば父親Ｆは這い這いの速度を上げるし、前足で跳ねる動作をするかも知れない。また「右に曲がります」と言いつつウインカー１１のボタンを押して、ハンドル１１を右に回せば、父親Ｆは右方向に舵を切る。男児Ｃがハンドル１１を右に回したのに父親Ｆが左に曲がれば、男児Ｃの「違うでしょ〜」の声と二人の笑い声が聞かれるに違いない。【００２４】  このように上述したごっこ玩具でありながら、親子が親愛と信頼のスキンシップを量ることが出来るのは、まさにこの操縦装置１ならでは、すなわちこの発明のお馬さんごっこ用玩具ならではである。
【実施例２】
【００２５】  図４を用いて実施例２を説明する。この実施例は上述の実施例１に電子回路を組み込んだものである。このものは乾電池３０から電力の供給を受けて動作するものであり、制御回路３に音声装置３１と照明装置３２とが接続されて成るものである。図示しないが音声装置３１は音声記憶部と音声再生部とスピーカとから構成されており、また照明装置３２はヘッドライト部とウインカー部とブレーキランプ部とから構成されている。これ等は何れも対応するスイッチがＯＮ状態になった時に、制御回路が対応する動作を音声装置３１や照明装置３２に行わせるように構成されている。【００２６】  この一例として図４には点消スイッチ３３とウインカースイッチ３４とを描いている。すなわち点消スイッチ３３は図示しないヘッドライト部のＬＥＤランプを点灯したり消灯したりする。ウインカースイッチ３４はトグルスイッチであって、右側に倒せば音声装置３１から「右へ曲がります」の音声を再生すると共に、照明装置３２が図示しない右側のウインカー部のＬＥＤランプを点滅させる。この他、ブレーキランプ部は図示しない赤のＬＥＤランプを点消する。音声装置３１からの例えば「バックします」の音声を聞いて、父親Ｆはその通りの動作を行うようにする。
【実施例３】
【００２７】  図５を用いて実施例３を説明する。この実施例は上述した実施例１に次のような機構を追加して構成したものである。操縦装置４背面には、ハンドルのシャフトに連動する回動板４１、アクセルの操作レバーに連動するスライド板４２、押しボタンであるウインカー１６，１７に連動する押圧板４３，４４が設けられており、これ等の上に背面カバー４０が被せられて、これ等が直接お馬さん役の背中に触れないように構成されている。すなわち上記回動板４１、スライド板４２、押圧板４３，４４はポリプロピレン製のシート状の背面カバー４０を通して、間接的にソフトにお馬さん役の背中に接触することになる。【００２８】  いま乗り役が図示しないハンドルを操作すると、その動きは回動板４１の回動運動となって、背面カバー４０を通して馬役の背中に伝達されるので、馬役はそのように動作すれば良いわけである。図示ないアクセルの操作レバーが操作されると、その動きはスライド板４２のスライドとなって馬役の背中に伝達される。また図示しないウインカーである所の押しボタンが押されると、押圧板４３，４４が背面カバー４０を通して馬役の背中を押すことになる。【００２９】  なお背面カバー４０がなく上記回動板４１、スライド板４２、押圧板４３，４４が直接的にお馬さん役の背中に接触するものとして構成しても良い。また乗り役の意思さえ馬役に通じればよい分けであるから、例えば上記回動板４１に一定以上の負荷が掛かるような場合には、回動板４１がハンドルのシャフトの回転から滑ってフリーになるような仕組みを設けることも好ましい。さてこの実施例は自動車の操縦装置４としてハンドルと回動板４１とを備えているわけであるが、これを電車の操縦装置としてブレーキに連動するスライド板４５を設けるようにしても良い。
【実施例４】
【００３０】  図６を用いて実施例４を説明する。上述した実施例１では、操縦装置１を馬役の背中で装着するための仕組みとして肩ベルト２，２０が設けられているが、実施例４の操縦装置５ではその背面板５０に、肩ベルト６，６０と共に、バックル６２付きの胴ベルト６１を取り付けた点が特徴である。操縦装置５はより強固に馬役の背中に装着される。【００３１】  従って馬役が操縦装置５の肩ベルト６，６０に両腕を通して操縦装置５を背負い、その後に胴ベルト６１を左右の側から腹の辺りに回してバックル６２で装着するように使用する。なお上記バックル６２では胴ベルト６１を馬役の胴回りに合わせて調節し得るように構成されている。これはハーネスと呼んでも良い。【００３２】  なおこの他の実施例として、操縦装置の操作盤上に音色の異なる音声を発生するための各種スイッチを設けておき、音色によって上記指令の違いを表すような仕組みを上げる。上記各種スイッチがピアノであるような操縦装置も興趣があって良い。
【産業上の利用可能性】
【００３３】  この発明の操縦装置は自動車や電車に限定されず、空飛ぶＵＦＯや大海原を行く海賊船やジュラ紀の恐竜などを自由に模して良いし、スマートフォンのアプリケーションソフトなどとの連携により効果音や動画面を出すように設計することが出来、この発明の用途は多岐に亘る。
【符号の説明】
【００３４】１    操縦装置
１０  操作盤
１１  ハンドル
１２  シャフト
１３  操作レバー
１４  ドラム
１５  アクセル
１６  ウインカー
１７  ウインカー
１８  キー
２    肩ベルト
２０  肩ベルト
２１  鋲
２２  鋲
３    制御回路
３０  乾電池
３１  照明装置
３２  音声装置
３３  点消スイッチ
３４  ウインカースイッチ
４    操縦装置
４０  背面カバー
４１  回動板
４２  スライド板
４３  押圧板
４４  押圧板
４５  スライド板
５    操縦装置
５０  背面板
６    肩ベルト
６０  肩ベルト
６１  胴ベルト
６２  バックル
【図１】
0006424326.tif 000002
【図２】
0006424326.tif 000003
【図３】
0006424326.tif 000004
【図４】
0006424326.tif 000005
【図５】
0006424326.tif 000006
【図６】
0006424326.tif 000007